(57)【要約】【課題】操作性および機能性に優れた育児器具の幌を提供する。【解決手段】育児器具の幌１０は、略Ｕ字形状の第１〜第４幌骨１１〜１４と、第１〜第４幌骨の基端部１１ｂ〜１４ｂのいずれかと幅方向に重なる基端部１７ｂを有する支持具１７と、重なり合った基端部１１ｂ〜１４ｂおよび基端部１７ｂを回動可能に束ねて連結する回動軸１８と、基端部１１ｂ〜１４ｂおよび基端部１７ｂ間を係合させることによって、これら幌骨１１〜１４の回動位置を調節可能に保持する回動位置調節機構と、第１および第２幌骨間に張り渡される内側幌布１６と、第３および第４幌骨間に張り渡される外側幌布１５とを備える。【選択図】図２
2011195053.tif 000002
【特許請求の範囲】
【請求項１】
略Ｕ字形状であり、両端部を基端部として、これら基端部間に介在する空間を幅方向内側とする第１幌骨と、
略Ｕ字形状であり、両端部を基端部として、これら基端部が前記第１幌骨の基端部の幅方向外側に重なる第２幌骨と、
略Ｕ字形状であり、両端部を基端部として、これら基端部が前記第２幌骨の基端部の幅方向外側に重なる第３幌骨と、
略Ｕ字形状であり、両端部を基端部として、これら基端部が前記第３幌骨の基端部の幅方向外側に重なる第４幌骨と、
前記第１、第２、第３、第４幌骨の基端部のいずれかと幅方向に重なる基端部を有する支持具と、
重なり合った前記第１、第２、第３、第４幌骨の基端部および前記支持具の基端部を回動可能に束ねて連結する回動軸と、
前記第１、第２、第３、第４幌骨の基端部および前記支持具の基端部間を係合させることによって、これら幌骨の回動位置を調節可能に保持する回動位置調節機構と、
前記第１および第２幌骨間に張り渡される内側幌布と、
前記第３および第４幌骨間に張り渡される外側幌布とを備える、育児器具の幌。
【請求項２】
前記第１幌骨および前記第２幌骨は、それらの基端部を除く残りの両端領域が、前記回動軸の軸方向に見て同一の位置に延在するような形状とされている、請求項１に記載の育児器具の幌。
【請求項３】
前記回動位置調節機構は、幅方向に対向して重なる２個の前記基端部のうち、一方の基端部に前記回動軸を中心として周方向所定間隔に複数形成されて軸方向に突出する凹凸形状と、他方の基端部に形成されて前記凹凸形状と係合する被係合部とを含む、請求項１または２に記載の育児器具の幌。
【請求項４】
前記回動位置調節機構は、幅方向に対向して重なる２個の前記基端部のうち、一方の基端部に前記回動軸を中心として周方向所定間隔に複数形成されて径方向に突出する凹凸形状と、他方の基端部に形成されて前記凹凸形状と係合する被係合部とを含む、請求項１〜３のいずれかに記載の育児器具の幌。
【請求項５】
前記回動位置調節機構は、幅方向に対向して重なる２個の前記基端部のうち、一方の基端部と、該基端部と摩擦係合する他方の基端部とを含む、請求項１〜４のいずれかに記載の育児器具の幌。
【発明の詳細な説明】
【技術分野】
【０００１】
この発明は、乳母車等の育児器具に関し、特に育児器具における子供受入空間の上方を覆う幌に関するものである。
【背景技術】
【０００２】
乳母車などの育児器具に設けられる幌としては従来、例えば、実公平５−３７７３６号公報（特許文献１）および実公平７−１９９４８号公報（特許文献２）に記載のごときものが知られている。特許文献１および特許文献２に記載のベビーカーは、折り畳み自在の日除け用幌の前面に、折り畳み自在の風雨除けフードを着脱自在かつ回動自在に取り付けたものである。そして、子供受入空間を内側とし、幌の外部空間を外側と定義して、風雨除けフードは日除け用幌の内側に収納可能となっている。具体的には、日除け用幌の骨格の基端部内側には係合具が設けられている。これに対し、風雨除けフードの骨格の基端部外側には係止具が設けられている。そして、これら日除け用幌の内側係合具と風雨除けフードの外側係止具が互いに着脱自在かつ回動自在に係合する。
【先行技術文献】
【特許文献】
【０００３】
【特許文献１】実公平５−３７７３６号号公報
【特許文献２】実公平７−１９９４８号公報
【発明の概要】
【発明が解決しようとする課題】
【０００４】
しかし、上記従来のような幌にあっては、以下に説明するような問題を生ずる。つまり、特許文献１および特許文献２に記載の技術は、風雨除けフードを支持する幌骨の回動軸と、日除け用幌を支持する幌骨の回動軸が別々に設けられており、構造が複雑であった。また、日除け用幌の回動軸と、風雨除けフードの回動軸とが別々であるため、操作者は一連の操作でこれら日除け用幌および風雨除けフードを好みの展開範囲・回動位置に調節することができず、展開した日除け用幌と展開した風雨除けフードとの重なり範囲を調節することができなかった。
【０００５】
本発明は、上述の実情に鑑み、外幌および内幌を別々に備えるが、単純な構造である育児器具の幌を提供することを目的とする。
【課題を解決するための手段】
【０００６】
この目的のため本発明による育児器具の幌は、略Ｕ字形状であり、両端部を基端部として、これら基端部間に介在する空間を幅方向内側とする第１幌骨と、略Ｕ字形状であり、両端部を基端部として、これら基端部が第１幌骨の基端部の幅方向外側に重なる第２幌骨と、略Ｕ字形状であり、両端部を基端部として、これら基端部が第２幌骨の基端部の幅方向外側に重なる第３幌骨と、略Ｕ字形状であり、両端部を基端部として、これら基端部が第３幌骨の基端部の幅方向外側に重なる第４幌骨と、第１、第２、第３、第４幌骨の基端部のいずれかと幅方向に重なる基端部を有する支持具と、重なり合った第１、第２、第３、第４幌骨の基端部および支持具の基端部を回動可能に束ねて連結する回動軸と、第１、第２、第３、第４幌骨の基端部および支持具の基端部間を係合させることによって、これら幌骨の回動位置を調節可能に保持する回動位置調節機構と、第１および第２幌骨間に張り渡される内側幌布と、第３および第４幌骨間に張り渡される外側幌布とを備える。
【０００７】
かかる本発明によれば、第１、第２、第３、および第４幌骨の基端部が、共通する回動軸によって束ねて連結されることから、単純な構造によって、外側幌布および内側幌布を別々に張り渡たすことができる。また操作者は、各幌骨の回動位置を調節して別々に張り渡される内側幌布および外側幌布の展開範囲・回動位置を、一連の操作でそれぞれ調節することができる。したがって、日除け用幌と風雨除けフードとの重なり範囲・重なり位置を操作者の好みに適合するよう容易に調節することができる。
【０００８】
第１〜第４幌骨の各端部領域は、幅方向内側から外側に向かって、間隔を空けて順番に配置されてよい。かかる実施形態であれば、幅方向外側の幌骨が幅方向内側の幌骨を乗り越えて回動可能である。あるいは別な実施形態として、隣り合う幌骨同士の端部領域が、幅方向に重なるよう配置されてよい。かかる実施形態であれば、隣り合う幅方向外側の幌骨が幅方向内側の幌骨を乗り越えて回動できない。ここで好ましくは、第１幌骨および第２幌骨は、それらの基端部を除く残りの両端領域が、回動軸の軸方向に見て同一の位置に延在するような形状とされている。かかる実施形態によれば、第１幌骨が第２幌骨を乗り越えて回動することがなく、これら幌骨の相対回動位置が入れ替わることがない。したがって、内側幌布の展開操作および折り畳み操作の操作性能が向上する。しかも、幌全体の幅方向厚みが薄くなることから、幅方向内側の子供受入空間を広く確保することができる。
【０００９】
本発明は一実施形態に限定されるものではなく、幌骨の回動位置調節機構は摩擦によるものであってもよいし、凹凸係合によるものであってもよい。例えば、回動位置調節機構は、幅方向に対向して重なる２個の基端部のうち、一方の基端部に回動軸を中心として周方向所定間隔に複数形成されて軸方向に突出する凹凸形状と、他方の基端部に形成されて凹凸形状と係合する被係合部とを含んでもよい。
【００１０】
好ましくは、回動位置調節機構は、幅方向に対向して重なる２個の基端部のうち、一方の基端部に回動軸を中心として周方向所定間隔に複数形成されて径方向に突出する凹凸形状と、他方の基端部に形成されて凹凸形状と係合する被係合部とを含む。かかる実施形態によれば、径方向に突出する凹凸形状であることから、回動位置調節機構の軸方向寸法を軸方向に突出する凹凸形状よりも小さくすることが可能となる。したがって、幌全体の幅方向厚みを薄くすることができ、幅方向内側の子供受入空間を広く確保することができる。
【００１１】
他の実施形態として、回動位置調節機構は、幅方向に対向して重なる２個の基端部のうち、一方の基端部と、該基端部と摩擦係合する他方の基端部とを含んでもよい。かかる実施形態によれば、一方の幌骨の基端部と、他方の幌骨の基端部とが摩擦係合することから、回動位置調節機構を簡易な構成で実現することができる。
【発明の効果】
【００１２】
このように本発明は、重なり合った第１、第２、第３、第４幌骨の基端部および支持具の基端部を回動可能に束ねて連結する回動軸を備えることから、単純な構造で内側幌布および外側幌布を別々に張り渡すことが可能になる。しかも操作者は、別々に張り渡たされた内側幌布および外側幌布を、一連の操作で容易に調節することができ、操作性に優れた幌を実現することができる。
【図面の簡単な説明】
【００１３】
【図１】本発明の一実施例になる幌を備える乳母車を幅方向外側からみた側面図である。
【図２】同実施例の幌を取り出して示す縦断面図である。
【図３】同実施例の幌を示す正面図である。
【図４】同実施例の幌の形態変化を示す説明図である。
【図５】第１および第２幌骨の基端部を取り出して示す側面図である。
【図６】幌骨の基端部を取り出して示す平面図である。
【図７】幌骨の基端部を取り出して示す断面図である。
【発明を実施するための形態】
【００１４】
以下、本発明の実施の形態を、図面に示す実施例に基づき詳細に説明する。
【００１５】
図１は、本発明の一実施例になる幌を備える乳母車を幅方向外側からみた側面図である。図２は、同実施例の幌を取り出して示す縦断面図である。図３は、同実施例の幌を後方からみた正面図であり、第２幌骨を回動方向前方に倒し、第１、第３、および第４幌骨を略上方に向けて立てている。この発明が適用されるべき育児器具としては、乳母車、ベビーラック、ベビーベッド、育児椅子等があるが、以下の説明では乳母車を例示的に説明する。
【００１６】
乳母車１０１は、子供受入空間である座席１０２の上方を覆う幌１０を備える。幌１０は、ドーム型の立体形状を維持するために複数の幌骨１１〜１４と、乳母車１０１のステーに連結する支持具１７と、この幌骨上に延在するように張られた幌布１５，１６とを備える。
【００１７】
乳母車１０１は、座席１０２の左右側に一対のアームレスト１０３を備える。アームレスト１０３は乳母車１０１の前後方向に延び、その後端部に図示しないステーが設けられる。ステーには、幌１０の支持具１７が着脱可能に装着される。支持具１７は、その差し込み方向に沿って延びるレール１７ｒと、その差し込み方向と直角方向に突出する爪部１７ｎを有する。レール１７ｒは、ステーに対し支持具１７の方向を揃えて支持具１７のステーへの抜き差しを容易にする。爪部１７ｎはステーと係合し、装着された支持具１７が不用意に抜け出ることがない。
【００１８】
左右の支持具１７，１７には略Ｕ字形状の第１幌骨１１〜第４幌骨１４が架設される。第１幌骨１１は、その両端部を基端部１１ｂとして、左右の支持具１７，１７にそれぞれ回動可能に連結する。各幌骨１１〜１４の基端部からみてこれら基端部間に介在する子供受入空間を幌１０の幅方向内側と定義する。また各幌骨１１〜１４の基端部からみて子供受入空間とは反対側を幅方向外側と定義する。
【００１９】
略Ｕ字形状の第２幌骨１２の両端部を基端部１２ｂとして、基端部１２ｂは、第１幌骨の基端部１１ｂの幅方向外側に重なり、左右の支持具１７，１７にそれぞれ回動可能に連結する。
【００２０】
略Ｕ字形状の第３幌骨１３の両端部を基端部１３ｂとして、基端部１３ｂは、第２幌骨の基端部１２ｂの幅方向外側に重なり、左右の支持具１７，１７にそれぞれ回動可能に連結する。なお、支持具１７の基端部１７ｂは、基端部１２ｂと基端部１３ｂとの間に介在する。
【００２１】
略Ｕ字形状の第４幌骨１４の両端部を基端部１４ｂとして、基端部１４ｂは、第３幌骨の基端部１３ｂの幅方向外側に重なり、左右の支持具１７，１７にそれぞれ回動可能に連結する。
【００２２】
重なり合った第１、第２、第３、および第４幌骨１１〜１４の基端部１１ｂ〜１４ｂは、共通する回動軸１８によって回動可能に束ねて連結される。図３に示すように、回動軸１８は幅方向に延びる。そして、左側の回動軸１８と右側の回動軸１８が共通する軸線を形成する。
【００２３】
第１、第２、第３、および第４幌骨１１〜１４は回動軸１８周りにそれぞれ回動可能である。したがって、各幌骨間の回動距離を広くしたり狭くしたりすることができる。
【００２４】
第３幌骨１３および第４幌骨１４間には外側幌布１５が張り渡される。外側幌布１５は、これら略Ｕ字形状の幌骨１３，１４の両端領域および中央領域に跨ることから、ドーム型の立体形状を維持する。外側幌布１５には略Ｕ字形状の補強線材２１が縫着あるいは貼着される。補強線材２１の両端部は左右の支持具１７，１７と連結していないが、第３幌骨１３と第４幌骨１４との間の回動方向中央に配置されている。これにより、第３幌骨１３と第４幌骨１４との回動距離を最大にして外側幌布１５の展開範囲を大きくしても、外側幌布１５はドーム型の立体形状を維持する。
【００２５】
外側幌布１５は、第３幌骨１３に接着される前方縁から、回動方向後方へ向かい、第４幌骨１４を越えてさらに広がり、この広がり領域には回動方向順に補強線材２２と、補強線材２３と、補強線材２４とが縫着あるいは貼着される。補強線材２２〜２４は、略Ｕ字形状であり、これらの両端部は左右の支持具１７，１７と連結していないが、回動方向等間隔で外側幌布１５に接着する。補強線材２４と接着する外側幌布１５の後方縁は、乳母車１０１の背もたれ部１０４の上端縁１０５に着脱可能に連結される。
【００２６】
図１に示すように、リクライニング可能な背もたれ部１０４を後方へ最大傾斜させる場合や、図２に示すように第４幌骨１４を回動方向前方へ変位させて外側幌布１５の展開範囲を大きくする場合であっても、略Ｕ字形状の補強線材２２〜２４により外側幌布１５はドーム型の立体形状を維持する。外側幌布１５は例えば、厚手の布地あるいはビニール地あるいはビニールコーティングされた布地であり、日差しおよび水滴を遮断する。なおこの実施例の外側幌布１５は窓を有さないが、その一部に開閉可能な窓を有する仕様であってもよい。
【００２７】
第１幌骨１１および第２幌骨１２間には内側幌布１６が張り渡される。内側幌布１６は、これら略Ｕ字形状の幌骨１１，１２の両端領域および中央領域に跨ることから、ドーム型の立体形状を維持する。内側幌布１６には略Ｕ字形状の補強線材２５が縫着あるいは貼着される。補強線材２５の両端部は左右の支持具１７，１７と連結していないが、第１幌骨１１と第２幌骨１２との間の回動方向中央に配置されている。これにより、第１幌骨１１と第２幌骨１２との回動距離を最大にして内側幌布１６の展開範囲を大きくしても、内側幌布１６はドーム型の立体形状を維持する。
【００２８】
内側幌布１６は例えば、目の細かいメッシュ地である。目の細かいメッシュ地は、良好な通気性を維持し、入射する光に対しては光強度を緩和する機能を有する。あるいは別な実施例として内側幌布１６は透明性能に優れたビニール地に複数の小孔を設けてもよい。内側幌布１６の前方縁は第２幌骨１２に接着される。内側幌布１６の後方縁は第１幌骨１１に接着される。第１幌骨１１および第２幌骨１２の略Ｕ字形状は、第３幌骨１３および第４幌骨１４の略Ｕ字形状よりもひとまわり小さい。これにより第１幌骨１１および第２幌骨１２は、第３幌骨１３および第４幌骨１４の幅方向内側を通過して回動可能である。したがって外側幌布１５の幅方向内側に内側幌布１６を格納することができる。この格納状態で内側幌布１６の展開範囲を最大にしてもよいし、最小にしてもよい。
【００２９】
また内側幌布１６を外側幌布１５よりも前方へ回動移動させて、座席１０２の前方を内側幌布１６のみで覆うことができる。これにより、座席１０２に入射する太陽光線を弱めつつ通気性を確保することができる。
【００３０】
外側幌布１５および内側幌布１６は別体である。なお上述した外側幌布１５および内側幌布１６の材質および仕様は一例にすぎず、特に限定されない。
【００３１】
図４は、幌１０の形態変化を示す説明図である。幌１０は外側幌布１５と内側幌布１６とを重ね合わせて二重にしたり、これら幌布１５，１６を別々に操作展開させることができる二重幌である。図４において回動軸１８を通過して後方へ延びる直線をＸ軸とし、Ｘ軸となす角度で幌骨１１〜１４の回動位置を表すと、例えば、第４幌骨１４の回動位置を０°とし、第３幌骨１３の回動位置を略９０°とすれば、座席の後方半分を外側幌布１５で一重に覆うことができる。
【００３２】
そして、第１幌骨１１を鉛直方向に回動倒立させて第３幌骨１３よりも僅かに後方とし、第２幌骨１２の回動位置を二点鎖線で示すように略１６０°とすれば、座席（子供受入空間）の前方およそ半分弱を内側幌布１６で一重に覆うことができる。しかも、内側幌布１６の後方縁が外側幌布１５の前方縁と重なり代を確保することから、略９０°の回動位置で太陽光線が座席１０２へ入ることがない。
【００３３】
あるいは、第２幌骨１２の回動位置を二点鎖線で示すように略１３５°とすれば、座席１０２の前方およそ四半分を開放し、かかる開放領域よりも後方の四半分を内側幌布１６で一重に覆うことができる。あるいは、第２幌骨１２の回動位置を実線で示すように略１１０°とすれば、座席１０２の前方を広く開放し、かかる開放領域よりも後方の領域を内側幌布１６で一重に覆うことができる。
【００３４】
なお上述した第２幌骨１２の回動位置を表す数値は一例にすぎず、回動位置の細かい調整が可能である。また、図には示さなかったが、第１幌骨１１〜第４幌骨１４のいずれも、回動位置の細かい調整が可能である。
【００３５】
ここで付言すると、第２幌骨１２，第３幌骨１３，および第４幌骨１４のＵ字両端領域は回動軸１８と交差するように延在する。しかし、第１幌骨１１のＵ字両端領域は、基端部１１ｂを除き、回動軸１８と交差せず、回動軸１８からオフセットされて延在する。具体的には、基端部１１ｂから肘部１１ｃが突出する。肘部１１ｃは回動軸１８と直交する仮想の平面内にあるが、直線状に延びるのではなく、途中で回動方向前方側に向きを変えて延びるよう屈曲形成される。肘部１１ｃの先端領域は第１幌骨１１のＵ字部材１１ｄの端部と接続する。
【００３６】
第１幌骨１１の肘部１１ｃは回動方向前方側に向きを変えて延びるため、第１幌骨１１は他の幌骨１２，１３，１４と平行に延びる回動位置にされ得る。例えば図４に実線で示すように、第１幌骨１１は、第３幌骨１３よりも回動方向後方近傍で、当該第３幌骨１３と平行に延びる位置にされ得る。かくして、第１幌骨に接着する内側幌布１６の後方縁が第３幌骨と接着する外側幌布１５の前方縁と重なり代を確保することができる。
【００３７】
第１幌骨１１を代表して説明すると、基端部１１ｂに接続部１１ｊが設けられる。そして、接続部１１ｊに、略Ｕ字形状のＵ字部材１１ｄの端部が接続固定される。他の幌骨１２〜１４についても同様であり、基端部１２ｂ〜１４ｂに接続部１２ｊ〜１４ｊが設けられ、これら接続部に略Ｕ字形状のＵ字部材１２ｄ〜１４ｄの端部がそれぞれ接続固定される。
【００３８】
図５は第１および第２幌骨の基端部を取り出して示す側面図である。図６は第１〜第３幌骨の基端部を取り出して示す平面図である。図７は第１〜第４幌骨の基端部を取り出して示す断面図である。
【００３９】
図７を参照して、基端部１１ｂ、基端部１２ｂ、基端部１７ｂ、基端部１３ｂ、基端部１４ｂは、かかる順序で重なっている。そして各基端部および基部には貫通孔がそれぞれ設けられており、これら貫通孔を１本の回動軸１８が貫通する。回動軸１８の両端は、これら貫通孔の内径よりも拡径しており、各基端部および基部は扇子の要のように束ねられている。
【００４０】
図５を参照して、基端部１１ｂから肘部１１ｃが回動軸直角方向に突出する。肘部１１ｃの延在方向は、一点鎖線で示すように、基端側で径方向に延び、中央部で角度を変え、先端領域で径方向と異なる方向に延びる。かかる先端領域は、基端部１１ｂより厚み（軸方向の厚み）が大きく、Ｕ字部材１１ｄと接続するための接続部１１ｊが形成される。第１幌骨の接続部１１ｊは第２幌骨の基端部１２ｂよりも外径側に離れて位置する。接続部１１ｊには、先端で開口し、肘部の中央部に向かって延びる差し込み口１１ｈが形成される。
【００４１】
差し込み口１１ｈにはＵ字部材１１ｄの端部が差し込まれる。差し込み口１１ｈの壁面には、抜け止め爪２７が設けられている。抜け止め爪２７はＵ字部材１１ｄと係合し、Ｕ字部材１１ｄが抜け出ることを防止する。
【００４２】
第２幌骨の基端部１２ｂには、一点鎖線で示すように、径方向に延びて突出する接続部１２ｊが設けられる。接続部１２ｊは、基端部１２ｂよりも厚み（軸方向の厚み）が大きく、これらの境界には段差１２ｓが形成される。接続部１２ｊには、先端で開口し、径方向に延びる差し込み口１２ｈが形成される。差し込み口１２ｈの壁面にも、上述した抜け止め爪２７が設けられている。差し込み口１２ｈの抜け止め爪２７はＵ字部材１２ｄと係合し、Ｕ字部材１２ｄが抜け出ることを防止する。
【００４３】
図６を参照して、接続部１１ｊと接続部１２ｊは、回動軸１８の軸方向に見て同一位置にされる。これにより、第１幌骨１１および第２幌骨１２は、それらの基端部を除く残りの両端領域が、回動軸１８の軸方向に見て同一の位置に延在するような形状とされている（図３）。
【００４４】
かかる実施例によれば、第１幌骨１１が第２幌骨１２を越えて回動することがなく、これら幌骨の相対回動位置が入れ替わることがない。したがって、内側幌布１６の展開操作および折り畳み操作の操作性能が向上する。また、座席１０２の幅方向空間を広く確保することができる。
【００４５】
基端部１１ｂの外周縁には等脚台形状の突起２９が周方向等間隔に多数設けられている。また基端部１１ｂの外周縁は、基端部１２ｂの段差１２ｓと対面する。段差１２ｓにはその中央部が二等辺三角形状に突出した板ばね３１が取り付けられている。板ばね３１の中央部は、隣り合う突起２９，２９同士の間に係合する。これにより、第１幌骨１１の回動位置が保持される。
【００４６】
この実施例は、３種類の回動位置調節機構を備える。幌１０の幅方向に対向して重なる２本の幌骨１１，１２のうち、一方の幌骨１１の基端部１１ｂに回動軸１８を中心として周方向所定間隔に複数形成されて径方向に突出する多数の突起２９，２９・・・が凹凸形状を構成する。また板ばね３１は、その中央部に、他方の幌骨１２の基端部１２ｂに形成されて基端部１１ｂの凹凸形状と係合する二等辺三角形状の被係合部を含む。そして、これら突起２９および板ばね３１が第１の回動位置調節機構として作用する。
【００４７】
操作者が第１幌骨１１および第２幌骨１２を握り、第１幌骨１１の回動位置を変化させると、板ばね３１の中央部が弾性変形して突起２９を順次乗り越える。これにより、第１幌骨１１の回動位置の細かい調整が可能である。
【００４８】
しかも、突起２９は径方向に突出することから、第１の回動位置調節機構の軸方向寸法を、軸方向に突出する他の回動位置調節機構よりも小さくすることが可能となる。したがって、幌１０全体の幅方向厚みを薄くすることができ、幅方向内側の座席１０２を広く確保することができる。
【００４９】
基端部１７ｂと対向して重なる基端部１２ｂには、軸方向に突出する突起３３が回動軸１８を中心として周方向等間隔に多数形成される。基端部１７ｂには、隣り合う突起３３，３３同士の間に係合する図示しない被係合部が形成される。この被係合部は、例えば、基端部１２ｂと対向する部位に形成される１乃至数個の突起部である。これにより、第２幌骨１２の回動位置が保持される。
【００５０】
この実施例は、幌１０の幅方向、すなわち軸方向に対向して重なる２個の基端部１２ｂ，１７ｂのうち、一方の基端部１２ｂに回動軸１８を中心として周方向所定間隔に複数形成される多数の突起３３が、軸方向に突出する凹凸形状を構成する。また他方の基端部１７ｂには、突起３３と係合する突起部が形成される。そして、当該突起部および突起３３が第２の回動位置調節機構として作用する。
【００５１】
操作者がアームレスト１０３および第２幌骨１２を握り、第２幌骨１２の回動位置を変化させると、第２の回動位置調節機構が弾性変形し、基端部１７ｂの突起部が突起３３を順次乗り越える。これにより、第２幌骨１２の回動位置の細かい調整が可能である。
【００５２】
かかる第２の回動位置調節機構は第３幌骨１３にも設けられる。すなわち、基端部１７ｂと対向して重なる基端部１３ｂには、軸方向に突出する突起３５が回動軸１８を中心として周方向等間隔に多数形成される。基端部１７ｂには、隣り合う突起３５，３５同士の間に係合する図示しない被係合部が形成される。この被係合部は、例えば、基端部１３ｂと対向する部位に形成される１乃至数個の突起部である。
【００５３】
この実施例は、幌１０の幅方向、すなわち軸方向に対向して重なる２個の基端部１３ｂ，１７ｂのうち、一方の基端部１３ｂに回動軸１８を中心として周方向所定間隔に複数形成される多数の突起３５が、軸方向に突出する凹凸形状を構成する。また他方の基端部１７ｂには、突起３５と係合する被係合部が形成される。そして、当該被係合部および突起３３が第２の回動位置調節機構として作用する。これにより、第３幌骨１３の回動位置が保持される。
【００５４】
操作者がアームレスト１０３および第３幌骨１３を握り、第３幌骨１３の回動位置を変化させると、第２の回動位置調節機構が弾性変形し、基端部１７ｂの突起部が突起３３を順次乗り越える。これにより、第２幌骨１２の回動位置の細かい調整が可能である。
【００５５】
基端部１３ｂと、この基端部１３ｂに対向して重なる基端部１４ｂと間には、螺旋状のばね３７が縮設される。  基端部１３ｂの中心には、幅方向外側へ突出する円筒部１３ｐが形成される。円筒部１３ｐの中心孔には回動軸１８が貫通し、円筒部１３ｐの外周面にはばね３７が挿通される。ばね３７は、基端部１３ｂを基端部１７ｂへ付勢する。これにより、軸方向に突出する基端部１３ｂの突起３５が、基端部１７ｂの被係合部に、適度な付勢力で好適に係合する。
【００５６】
基端部１４ｂの中心には孔が形成され、円筒部１３ｐの先端に差し込み固定される。基端部１４ｂと円筒部１３ｐとの間に摩擦力が生じ、第４幌骨１４の回動位置が保持される。
【００５７】
この実施例は、幅方向に対向して重なる２個の基端部１３ｂ，１４ｂのうち、一方の基端部１３ｂと、該基端部と摩擦係合する他方の基端部１４ｂとを含む。そして、当該基端部１３ｂ，１４ｂが第３の回動位置調節機構として作用する。
【００５８】
操作者が第３幌骨１３および第４幌骨１４を握り、第４幌骨１４の回動位置を変化させると、円筒部１３ｐとの摩擦係合に抗して、基端部１４ｂが回動する。これにより、第４幌骨１４の回動位置の細かい調整が可能である。
【００５９】
ところでこの実施例によれば、重なり合った第１、第２、第３、第４幌骨１１〜１４の基端部１１ｂ、１２ｂ，１３ｂ，１４ｂおよび支持具１７の基端部１７ｂを回動可能に束ねて連結する回動軸１８を備えることから、以下の効果を奏する。つまり、内側幌布と外側幌布とを別々に設ける構造であるにもかかわらず、内側幌布を支持する幌骨と外側幌布を支持する幌骨を共通する回動軸で束ねることから、構造が単純となりコスト上有利である。しかも操作者は一連の操作で内側幌布と外側幌布の展開範囲・回動位置を調節することが可能となり、操作が容易になる。
【００６０】
また、この実施例によれば、幌骨の回動位置を調節可能に保持する回動位置調節機構を備えることから、幌骨の回動位置を細かく調節することができる。したがって、内側幌布を大きく展開した状態あるいは小さく展開した状態に調節しつつ、外側幌布を大きく展開した状態あるいは小さく展開した状態に調節し得て、しかも内側幌布の回動位置および外側幌布の回動位置を自在に調節し得て、内側幌布と外側幌布との重なり範囲・重なり位置を任意に調節することができる。
【００６１】
したがって、幌骨１１〜１４の回動位置を操作者の好みの位置に調節することができる他、各幌骨１１〜１４の回動位置を調節して内側幌布１６および外側幌布１５の回動位置を操作者の好みの位置に調節することができる。さらに、内側幌布１６および外側幌布１５を広く展開したり、狭く縮小したり、操作者の好みの展開範囲に調節することができる。しかも、内側幌布１６および外側幌布１５を最大に展開した状態で、あるいは最大よりも小さく展開した状態で、内側幌布１６と外側幌布１５との重なり範囲・重なり位置を任意に調節することができる。
【００６２】
これに対し、特許文献１および２に記載される従来技術は、日除け用幌の前方位置に風雨除けフードを展開させるか、日除け用幌の内側に展開状態の風雨除けフードを収容させるか等の限られた操作しか成し得ず、幌の回動位置・展開範囲をそれぞれ適宜調節することができなかった。さらには、日除け用幌と風雨除けフードとの重なり範囲・重なり位置も調節することができなかった。
【００６３】
また、従来技術は、特許文献１および特許文献２に記載されるように、日除け用幌の内側係合具と風雨除けフードの外側係止具との係合力が弱いため、風雨除けフードが不用意に外れてしまう懸念があった。これに対しこの実施例では第１〜第４幌骨１１〜１４および支持具の基端部を回動可能に束ねて連結する回動軸１８を備えることから、内側幌布１６の第１幌骨１１および第２幌骨１２と、外側幌布１５の第３幌骨１３および第４幌骨１４が、共通の回動軸１８により着脱不能に枢支される。これにより、内側幌布１６が第１幌骨１１および第２幌骨１２とともに支持具１７から不用意に分離する懸念がない。
【００６４】
またこの実施例によれば、第１幌骨１１および第２幌骨１２は、それらの基端部１１ｂ，１２ｂを除く残りの両端領域が、回動軸１８の軸方向に見て同一の位置に延在するような形状とされている。これにより、回動方向前方に位置する第２幌骨１２と回動方向後方に位置する第１幌骨１１との回動位置が入れ替わることがない。したがって、内側幌布１６の展開操作および折り畳み操作の操作性能が向上する。しかも、幌１０全体の幅方向厚みが薄くなることから、幅方向内側の座席１０２を広く確保することができる。
【００６５】
またこの実施例によれば、上述した３種類の回動位置調節機構を備えることから、操作者の好みの回動位置で幌骨１１〜１４および幌布１５，１６を好適に調節・保持することができる。さらに、幌布１５，１６の展開範囲を操作者の好みの大きさに調節・保持することができる。
【００６６】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。例えば、この実施例では基端部１７ｂを基端部１２ｂ，１３ｂ間に介在させたが、基端部１７ｂの軸方向位置はこれに限定されず、他の着端部の隣に配置してもよいこと勿論である。
【産業上の利用可能性】
【００６７】
この発明になる育児器具の幌は、乳母車、自動車用子供座席、育児椅子、子供ベッド、ベビーベッドなどの育児器具において有利に利用される。
【符号の説明】
【００６８】
１１  第１幌骨、１２  第２幌骨、１３  第３幌骨、１４  第４幌骨、１５  外側幌布、１６  内側幌布、１７  支持具、１８  回動軸、２１，２２，２３，２４、２５  補強線材、２９  突起、３１  板ばね、３３，３５  突起、１０１  乳母車、１０２  座席、１０３  アームレスト。
【図１】
2011195053.tif 000003
【図２】
2011195053.tif 000004
【図３】
2011195053.tif 000005
【図４】
2011195053.tif 000006
【図５】
2011195053.tif 000007
【図６】
2011195053.tif 000008
【図７】
2011195053.tif 000009